(57)【要約】【課題】船舶の乗員の健康管理を陸上で行うことができる船舶遠隔健康管理システムを提供する。【解決手段】船舶に搭載され、前記船舶の乗員の健康に関するデータを取得するデータ取得装置と、前記データ取得装置によって取得されたデータを蓄積し、前記船舶と陸上とを結ぶ通信ネットワーク上に前記データを送信するデータ通信装置と、陸上に配置され、前記通信ネットワークを通じて前記データ通信装置から前記乗員の健康に関するデータを受信して乗員ごとに管理するデータ管理装置と、を備えた健康管理システムである。【選択図】図１
2015106308.tif 000002
【特許請求の範囲】
【請求項１】
船舶に搭載され、前記船舶の乗員の健康に関するデータを取得するデータ取得装置と、
前記データ取得装置によって取得されたデータを蓄積し、前記船舶と陸上とを結ぶ通信ネットワーク上に前記データを送信するデータ通信装置と、
陸上に配置され、前記通信ネットワークを通じて前記データ通信装置から前記乗員の健康に関するデータを受信して乗員ごとに管理するデータ管理装置と、
を備えた健康管理システム。
【請求項２】
前記データ管理装置は、
前記データ通信装置から送られてくる前記船舶の運航情報を受信する船舶データ受信部と、
前記船舶データ受信部により受信された前記船舶の運航情報と前記船舶の航海情報とを対応付けて記憶する船舶データ記憶部と、
前記データ通信装置から送られてくる前記乗員の健康に関するデータを受信する健康データ受信部と、
前記乗員の健康に関するデータが、それに対応した閾値を超えているか否かを判定する判定部と、
前記乗員の健康に関するデータが前記閾値を越えた場合に、前記船舶データ記憶部から前記船舶の運航情報及び前記船舶の航海情報を読み出し、前記船舶の運航情報及び前記船舶の航海情報を付加したアラームを配信する配信部と、
を有する請求項１に記載の健康管理システム。
【請求項３】
前記船舶データ受信部は、
前記船舶の船体運動を表す船舶状況情報を前記データ通信装置から受信し、
前記船舶データ記憶部は、前記船舶の航海情報に加えて、さらに前記船舶データ受信部が受信した前記船舶状況情報を記憶し、
前記配信部は、前記船舶状況情報とともに、前記アラームを配信する請求項２に記載の健康管理システム。
【請求項４】
前記閾値は、
前記乗員の健康に関するデータの異常の有無を判定する基準を与えるカットオフ値である、請求項２または３に記載の健康管理システム。
【請求項５】
前記乗員の健康に関するデータは、前記乗員の問診情報を含む請求項１から４の何れか１項に記載の健康管理システム。
【請求項６】
船舶に搭載されたデータ取得装置が、前記船舶の乗員の健康に関するデータを取得するデータ取得ステップと、
前記船舶に搭載されたデータ通信装置が、前記データ取得装置によって取得されたデータを蓄積し、前記船舶と陸上とを結ぶ通信ネットワーク上に前記データを送信するデータ通信ステップと、
陸上に配置されたデータ管理装置が、前記通信ネットワークを通じて前記データ通信装置から前記乗員の健康に関するデータを受信して乗員ごとに管理するデータ管理ステップと、
を含む健康管理方法。
【請求項７】
前記データ管理ステップは、
前記データ通信装置から送られてくる前記船舶の運航情報を受信する船舶データ受信ステップと、
前記船舶データ受信ステップにより受信された前記船舶の運航情報と前記船舶の航海情報とを対応付けて記憶する船舶データ記憶ステップと、
前記データ通信装置から送られてくる乗員の健康に関するデータを受信する健康データ受信ステップと、
前記乗員の健康に関するデータが、それに対応した閾値を超えているか否かを判定する判定ステップと、
前記乗員の健康に関するデータが前記閾値を越えた場合に、前記データ通信装置から前記船舶の運航情報及び前記船舶の航海情報を読み出し、前記船舶の運航情報及び前記船舶の航海情報を付加したアラームを配信する配信ステップと、
を有する請求項６に記載の健康管理方法。
【発明の詳細な説明】
【技術分野】
【０００１】
本発明は、陸上から船舶の乗員の健康管理を行うための健康管理システム及び健康管理方法に関する。
【背景技術】
【０００２】
最近、ホームヘルスケア或いはセルフケア関連分野の産業では、ネットワーク技術を活用して、各種健康データ測定機器で計測した生体データを家庭内のＰＣ（Ｐｅｒｓｏｎａｌ  Ｃｏｍｐｕｔｅｒ）、又はインターネット上のサーバに集約し管理する健康管理システムの開発が推し進められており、これを利用したサービスが登場し始めている。
【０００３】
例えば、体重計、血圧計及び歩数計といった健康データ測定機器で測定した使用者の生体データをパソコンに集約・管理し、使用者はそのパソコンで自らの生体データを確認し、健康の維持・増進に役立てる技術が提案されている（例えば、特許文献１参照）。
【０００４】
また、健康管理を目的とした生体データの測定は、陸上だけではなく、漁船又は長期に亘る航海中の貨物船等の船舶上でも行われており、定期的に船内で船員の血圧、体重等の生体データを測定している。
【先行技術文献】
【特許文献】
【０００５】
【特許文献１】特開２００４−２８３５７０号公報
【発明の概要】
【発明が解決しようとする課題】
【０００６】
しかしながら、船舶内で用いられている従来の健康管理システムは、船員の生体データを測定し、測定した船員の生体データを船内で管理するものに留まる。よって、医師などの医療専門家が乗船していない場合、船内で測定した船員の生体データを医療専門家が確認することが困難であった。
【０００７】
本発明は、このような事情に鑑みてなされたもので、その目的は、船舶の乗員の健康管理を陸上で行うことができる船舶遠隔健康管理システム及び健康管理方法を提供することである。
【課題を解決するための手段】
【０００８】
本発明の一態様は、船舶に搭載され、前記船舶の乗員の健康に関するデータを取得するデータ取得装置と、前記データ取得装置によって取得されたデータを蓄積し、前記船舶と陸上とを結ぶ通信ネットワーク上に前記データを送信するデータ通信装置と、陸上に配置され、前記通信ネットワークを通じて前記データ通信装置から前記乗員の健康に関するデータを受信して乗員ごとに管理するデータ管理装置と、を備えた健康管理システムである。
この構成によれば、データ通信装置から通信ネットワークを通じて陸上のデータ管理装置に船舶内で取得した乗員の健康に関するデータを送信して蓄積する。陸上にいる医療専門家は陸上のデータ管理装置にアクセスすることで、陸上から航海中の船舶の乗員の健康に関するデータを確認し、乗員の健康管理を行うことができる。このため、例えば、船舶の乗員の病気の兆候等を早期に発見することができ、緊急寄港の頻度を低減することができる。  上記健康管理システムにおいて、例えば、前記データ管理装置は、前記データ通信装置から送られてくる前記船舶の運航情報を受信する船舶データ受信部と、前記船舶データ受信部により受信された前記船舶の運航情報と前記船舶の航海情報とを対応付けて記憶する船舶データ記憶部と、前記データ通信装置から送られてくる前記乗員の健康に関するデータを受信する健康データ受信部と、前記乗員の健康に関するデータが、それに対応した閾値を超えているか否かを判定する判定部と、前記乗員の健康に関するデータが前記閾値を越えた場合に、前記船舶データ記憶部から前記船舶の運航情報及び前記船舶の航海情報を読み出し、前記船舶の運航情報及び前記船舶の航海情報を付加したアラームを配信する配信部と、を有する。
【０００９】
また、上記健康管理システムにおいて、例えば、前記船舶データ受信部は、前記船舶の船体運動等を表す船舶状況情報を前記データ通信装置から受信し、前記船舶データ記憶部は、前記船舶の航海情報に加えて、さらに前記船舶データ受信部が受信した前記船舶状況情報を記憶し、前記配信部は、前記船舶状況情報とともに、前記アラームを配信する。
【００１０】
また、上記健康管理システムにおいて、例えば、前記閾値は、前記乗員の健康に関するデータの異常の有無を判定する基準を与えるカットオフ値である。
また、上記健康管理システムにおいて、例えば、前記乗員の健康に関するデータは、前記乗員の問診情報を含む。
【００１１】
また、本発明の一態様は、船舶に搭載されたデータ取得装置が、前記船舶の乗員の健康に関するデータを取得するデータ取得ステップと、前記船舶に搭載されたデータ通信装置が、前記データ取得装置によって取得されたデータを蓄積し、前記船舶と陸上とを結ぶ通信ネットワーク上に前記データを送信するデータ通信ステップと、陸上に配置されたデータ管理装置が、前記通信ネットワークを通じて前記データ通信装置から前記乗員の健康に関するデータを受信して乗員ごとに管理するデータ管理ステップと、を含む健康管理方法である。
【発明の効果】
【００１２】
本発明によれば、船舶の乗員の健康管理を陸上で行うことができる。
【図面の簡単な説明】
【００１３】
【図１】本発明の実施形態における船舶遠隔健康管理システムの構成例を示す図である。
【図２】本発明の実施形態における船舶システム１の構成例を示す図である。
【図３】本発明の実施形態における遠隔医療サーバ６のブロック図である。
【図４】本発明の実施形態における船舶遠隔健康管理システムのシーケンス図である。
【図５】本発明の実施形態における船舶遠隔健康管理システムを利用する際に用いられる問診項目と、各問診項目に対応した乗員の健康状態の異常の程度を表す点数の一例を示す図である。
【発明を実施するための形態】
【００１４】
以下、本発明の実施形態における船舶遠隔健康管理システムについて、図面を用いて説明する。図１は、本発明の実施形態におけるに船舶遠隔健康管理システムの構成例を示す図である。
図１に示すように、本発明の実施形態における船舶遠隔健康管理システムは、船舶システム１と、船舶システム１とネットワーク２を介して接続された陸上システム３とを備えている。また、陸上システム３は、医療データ確認ＰＣ（Ｐｅｒｓｏｎａｌ  Ｃｏｍｐｕｔｅｒ）４と、船舶管理会社ＰＣ５（船舶管理会社システム）と、データ管理装置としての遠隔医療サーバ６とを備えており、ネットワーク２（通信ネットワーク）を介して互いに接続されている。
【００１５】
図２は、船舶システム１の構成例を示す図である。図２に示すように船舶システム１は、データ取得装置としての健康データ測定装置１０と、データ通信装置としての船陸間通信装置１１を備えている。健康データ測定装置１０は、船舶の乗員の健康に関するデータを取得するものであり、船舶に搭載されている。健康データ測定装置１０は、歩数計１０１〜１０３、歩数計アダプタ１０４、血圧計１０５、体重体組成計１０６、データ収集ＰＣ（Ｐｅｒｓｏｎａｌ  Ｃｏｍｐｕｔｅｒ）１０７を備えている。なお、歩数計１０１〜１０３、血圧計１０５、体重体組成計１０６は例えばコンティニュア（登録商標）対応の測定機器であり、例えばｂｌｕｅｔｏｏｔｈ（登録商標）経由でデータ収集ＰＣにデータを送信する。また、本実施形態においては、健康データ測定装置１０は、１組である場合を説明するが、勿論この数に限られるものではない。
また、この船舶システムは、脈拍、デジタル写真、動画、パルスオキシメーター、心電図などにも対応している。
【００１６】
歩数計１０１、１０２、１０３は、一定時間毎の歩数を計測するセンサーであり、船舶の乗員に１つの歩数計が与えられる。船舶の乗員とは、船舶の運航に関わる船員のみならず、客船の乗客も含み、船舶に乗船する全ての者を含む。本実施形態においては、歩数計が３台である場合を説明するが、勿論この数に限られるものではない。また、歩数計１０１、歩数計１０２、歩数計１０３は、乗員Ａ、乗員Ｂ、乗員Ｃ各々が所持しているものとする。なお、歩数計１０１、１０２、１０３は活動量計であっても良い。
【００１７】
乗員（例えば乗員Ａ）は、歩数計アダプタ１０４に自身が所持する歩数計（例えば歩数計１０１）を置くことで歩数計（例えば歩数計１０１）の歩数データがデータ収集ＰＣに送信することができる。歩数データは、例えば、ｂｌｕｅｔｏｏｔｈ（登録商標）経由で送信される。
血圧計１０５は、公知の血圧計であるため、内部ブロック図等の説明は省略する。乗員Ａ、Ｂ、Ｃは、所定の測定時間に、血圧計１０５で血圧データを測定する。測定した血圧データは、データ収集ＰＣにｂｌｕｅｔｏｏｔｈ（登録商標）経由で送信される。
【００１８】
体重体組成計１０６は、公知の体重体組成計であるため、内部ブロック図等の説明は省略する。乗員Ａ、Ｂ、Ｃは、所定の測定時間に、体重体組成計１０６で体重データを測定する。測定した体重データは、データ収集ＰＣにｂｌｕｅｔｏｏｔｈ（登録商標）経由で送信される。なお、上述した所定の測定時間は、例えば起床後朝食前の安静時である。
【００１９】
データ収集ＰＣ１０７は、歩数計１０３〜１０３、血圧計１０５、体重体組成計１０６が測定したデータをｂｌｕｅｔｏｏｔｈ（登録商標）経由で受信する。
また、データ収集ＰＣ１０７には、ユーザＩＤを使用して乗員を特定する船舶遠隔健康管理アプリケーションがインストールされている。ユーザＩＤは、乗員を識別する番号であり、乗員毎に異なるユーザＩＤが与えられている。
【００２０】
乗員Ａ、Ｂ、Ｃの各々は、データ収集ＰＣ１０７上で船舶遠隔健康管理アプリケーションを立ち上げ、自身のユーザＩＤとパスワードと入力し個人認証を行った後、上述した測定（歩数、血圧、体重の測定）を行う。これにより、ユーザＩＤ毎に歩数データと体重データと血圧データが対応付けられ、時系列順にデータ収集ＰＣ１０７に保存される。
【００２１】
また、乗員Ａ、Ｂ、Ｃの各々は、データ収集ＰＣ１０７上で問診を行う。問診では、例えば、複数の問診項目がデータ収集ＰＣ１０７の画面上に表示され、船舶の乗員は、該当する項目にチェックする（マウスでクリックする）。また、該当する項目をメニュー選択方式で選択をすることで問診を行っても良い。なお、問診においても上述した個人認証を行った上で行う。問診内容は、保健指導の参考となるよう、飲酒、喫煙、睡眠、食事など、生活習慣に関する内容とメンタル的な症状（抗うつ症状）を把握するための内容を含む。
【００２２】
乗員が過去に自分の測定したデータを閲覧する場合、乗員は、データ収集ＰＣ１０７上で個人認証を行い、船舶遠隔健康管理アプリケーションを立ち上げる。これにより、乗員は、過去に自分の測定したデータを数値とグラフで閲覧することができる。
データ収集ＰＣ１０７は、一定時間毎に船陸間通信装置１１にユーザＩＤ毎に保存された歩数データと体重データと血圧データと問診データ（以下、「健康データ」という。）とを送信する。
【００２３】
船陸間通信装置１１は、健康データ測定装置１０によって取得されたデータを蓄積し、船舶と陸上とを結ぶネットワーク２上に上記健康データを送信するものである。船陸間通信装置１１は、データ収集ＰＣ１０７とＬＡＮ（Ｌｏｃａｌ  Ａｒｅａ  Ｎｅｔｗｏｒｋ）１２を介して接続されている。船陸間通信装置１１は、無線通信装置１１０とルータ１１１を備えている。
【００２４】
無線通信装置１１０は、ルータ１１１に接続されている。無線通信装置１１０は、ネットワーク２に無線で接続する装置である。無線通信装置は、例えば衛星通信を行うインマルサット地球局（例えば、日本無線株式会社ＪＵＥ−５０１）や携帯電話網を利用して陸上のインターネットに接続する。航海中の船舶に特有の現象である通信不能状態となった場合、健康データをバッファに蓄積し、通信可能状態になって通信が回復したときに健康データを送信する。また、海上通信（特に衛星通信）の場合、陸上通信と比較して通信容量が小さいため、例えば船舶の航海に必要な他の通信と同時にデータを送信すると、他の通信に支障を与える可能性がある。このため、本実施形態では、健康データを取得して即座に送信するのではなく、通信容量に余裕のあるときに健康データを送信する。そのため、無線通信装置１１０は、海上通信の通信容量の空きを逐次検出し、他の通信に支障を与えないかどうかを判定する。
【００２５】
船陸間通信装置１１は、データ収集ＰＣ１０７から受信した健康データを、ネットワーク２を介して遠隔医療サーバ６に一定時間毎に送信する。また、船陸間通信装置１１は、船の運航情報と船舶状況情報に船ＩＤを付加し、ネットワーク２を介して遠隔医療サーバ６に一定時間毎に送信する。船の運航情報は、船の名前、風向風速、船首方位、現在位置とその現在位置での日時と船の速度などである。船舶状況情報は、船に設けられた船体運動センサーで測定される船の船体運動を表すデータである。船ＩＤは、航海している船舶を識別する番号であり、航海している船舶毎に、異なる船ＩＤが付与されている。
【００２６】
船陸間通信装置１１の通信エリア内の場合、船陸間通信装置１１は健康データ及び船ＩＤを付加された船の運航情報と船舶状況情報とをネットワーク２を介して遠隔医療サーバ６に送信する。一方、船陸間通信装置１１の通信エリア外の場合、健康データ及び船ＩＤを付加された船の運航情報と船舶状況情報を記憶部（不図示）に一時的に保存し、通信可能になったときに一時的に保存された健康データ及び船ＩＤを付加された船の運航情報と船舶状況情報を、自動的にネットワーク２を介して遠隔医療サーバ６に送信する。
【００２７】
図１に戻り、医療データ確認ＰＣ４は、遠隔医療サーバ６内に保存されたデータを閲覧するネットワーク２に接続されたＰＣであり、例えば医者（又は医療従事者）の保有するＰＣである。医者（又は医療従事者）は、医療データ確認ＰＣ４からネットワーク２を介して遠隔医療サーバ６にアクセスし、任意のパスワードを入力することで、遠隔医療サーバ６に保存されている乗員の健康データを閲覧することができる。これにより、医者（又は医療従事者）は、航海している船舶毎の乗員の健康状態を確認することができる。また、医者（又は医療従事者）は、医療データ確認ＰＣ４を介して乗員の健康状態に対するコメント（診断結果）を記入することができる。また、医療データ確認ＰＣ４は、例えば、乗員の家族が保有するＰＣである。乗員の家族は、医療データ確認ＰＣ４から遠隔医療サーバ６にアクセスし、家族である乗員のユーザＩＤとパスワードを入力することで、その乗員の健康状態を確認することができる。
【００２８】
船舶管理会社ＰＣ５は、運航している船舶を管理している管理会社の社内ＰＣであり、ネットワーク２に接続されている。船舶管理会社の陸上担当者は、船舶管理会社ＰＣ５から遠隔医療サーバ６にアクセスし、任意のパスワードを入力することで、航海している船舶毎の乗員の健康状態を確認することができる。また、船舶管理会社の陸上担当者は、航海している乗員の健康状態に異常があった場合、遠隔医療サーバ６から船舶管理会社ＰＣ５を介してアラームメッセージを受信する。
【００２９】
次に遠隔医療サーバ６について説明する。図３は、遠隔医療サーバ６のブロック図である。遠隔医療サーバ６は、ネットワーク２を通じて船陸間通信装置１１から船舶の乗員の健康に関するデータを受信して乗員ごとに管理するものである。本実施形態では、遠隔医療サーバ６は、陸上の所定の施設に配置されて運用される。遠隔医療サーバ６は、船舶データ受信部６１、船舶データ記憶部６２、健康データ受信部６３、健康データ記憶部６４、判定部６５、配信部６６を備えている。船舶データ受信部６１は、船陸間通信装置１１からネットワーク２を介して船ＩＤを付加された船の運航情報と船舶状況情報とを受信する。船舶データ受信部６１は、船ＩＤを付加された船の運航情報と船舶状況情報を船舶データ記憶部６２に出力する。
【００３０】
船舶データ記憶部６２は、予め航海情報が保存されている。航海情報は、例えば船ＩＤとその船ＩＤに対応する船舶の寄港先とその寄港先に立ち寄る日時（寄港月日）を示す寄港スケジュール、遠洋漁業船など寄港せずに数日遠洋にて滞在するようなスケジュール、船医の乗船有無、過去及び予定の航海ルートなどである。
よって、遠隔医療サーバ６は、船舶データ受信部６１から入力された船の運航情報と船舶状況情報を航海情報に対応付けて、船ＩＤ毎に船舶データ記憶部６２に記憶する。
【００３１】
健康データ受信部６３は、船陸間通信装置１１からネットワーク２を介して健康データを受信する。健康データ受信部６３は、受信した健康データを健康データ記憶部６４に時系列順に記憶する。また、健康データ受信部６３は、受信した健康データを判定部６５に出力する。
【００３２】
判定部６５は、健康データに付加されたユーザＩＤ毎に、その健康データに異常があるか否かを判定する。また、判定部６５は、健康データ（体重データ、血圧データ、問診データ）のいずれかに異常があると判定した場合、異常と判定した健康データに付加されたユーザＩＤを、配信部６６に送出する。配信部６６は、インターフェイス６７を通じてネットワーク２上に健康データを送出（配信）する。以下に健康データに異常があるか否かを判定する方法の一例を説明する。
【００３３】
（血圧と体重の数値データの異常判定方法の例）
血圧と体重の数値データに異常がある否かを判定する場合、判定部６５は、絶対値異常判定と変化量判定とを血圧と体重の数値データの各々に対して行う。絶対値異常判定は、例えば血圧の数値データが設定された第１基準値を越えた場合、判定部６５は、血圧の数値データに異常があると判定する。体重の絶対値異常判定は、上述した血圧の絶対値異常判定と同様の方法である。第１基準値は、数値データに異常があるか否かを判定する閾値であり、例えば血圧の判断基準値はＩ度高血圧と判定される値（収縮期血圧１４０、拡張期血圧９０）である。ただし、体重の第１基準値は乗員の身長によって異なるため、判定部６５は、記憶部（不図示）に予め記憶してある体重基準値テーブルを参照し、ユーザＩＤに対応する体重の第１基準値を取得する。体重基準値テーブルには、ユーザＩＤと、そのユーザＩＤ毎の体重の第１基準値が対応付けられている。
【００３４】
変化量判定は、例えば血圧のデータの測定毎の変化量（「今回取得した血圧のデータ」−「前回取得した血圧のデータ」）が設定された第２基準値を越えるか否かをユーザＩＤ毎に判定する方法である。第２基準値は、数値データの変化量に異常があるか否かを判定する閾値である。なお、体重の変化量判定は、上述した血圧の変化量判定と同様の方法である。
【００３５】
（問診データの異常判定方法）
判定部６５は、乗員の健康に関する問診データの異常の有無、例えば抑うつ症状があるか否かを判定する。判定部６５は、例えば、抑うつ症状を把握するための複数の問診項目に対するチェック数が予め決定された閾値（カットオフ値）を越えた場合、抑うつ症状があると判定する。
【００３６】
また、抑うつ症状以外の領域についても、問診項目ごとに健康状態の異常の程度を表す点数を割り当てるようにする。食、運動、休養、自覚症状、疾患の種類などの分野ごとに、複数項目の点数の合計点を算出し、閾値（カットオフ値）を超えた場合、乗員の健康状態に異常があると判定する。
【００３７】
さらに、分野ごとに重み付けを行い、問診項目全般について合計点と重み付けの積をとったものを分野別に合計し、総合点を算出する。上記合計点と、総合点が問診データとして処理される。図５の例では、チェックされた問診項目は、一日の飲酒量がビールＸミリリットルである項目と、一日の食事回数が２回である項目と、一日の睡眠時間がＮ時間未満である項目である。これらの項目に割り付けられた点数は、それぞれ、５点、４点、５点であり、これらの合計値は１４点となる。この合計値が問診データとして処理される。また既往歴、現病歴、生体データ、健康診断の結果、慢性疾患の有無と管理状況の情報を参照することができ、それらの情報を基に異常の有無の判定基準を設定することもできる。
【００３８】
総合点についても、閾値（カットオフ値）を設定し、船員の健康状態の異常の有無の判定を行う。ここで、これを１５点に設定したとすれば、図５の例に示す問診項目のチェック結果から得られる問診データによって示される乗員の健康に異常があると判定されない。また、図５の例では、抑うつ症状の項目にチェックが入っていないが、仮に、抗うつ症状の項目にチェックが入っていれば、他の項目にチェックが入っていないとしても、合計値が閾値である１５点に到達するので、即座に乗員の健康状態に異常があると判定される。
なお、図５に示す例は、本実施形態の理解を容易化するためのものであり、問診項目の内容や各問診項目に割り当てられる点数は、本システムの利用形態に応じて設定すればよい。
【００３９】
上述した問診データの異常判定方法を用いて判定部６５において異常が検知されると、配信部６６は、判定部６５から受信したユーザＩＤの乗員が乗船している船の運航情報と船舶状況情報と航海情報とを船舶データ記憶部６２から取得する。配信部６６は、船の運航情報と船舶状況情報と航海情報の情報を付加したアラームメッセージ（健康データに異常があった旨のアラームメッセージ）を、ネットワーク２を介して船舶管理会社ＰＣ５に送信する。これより、船舶管理会社の担当者は、船舶管理会社ＰＣ５の表示画面に表示されたアラームメッセージを確認することで、乗員の健康状態に異常があったことを即座に知ることができる。また、船舶管理会社の陸上担当者は、アラームメッセージに付加された船の運航情報と船舶状況情報と航海情報の情報とを確認することで、健康状態に異常があった乗員が乗船している船舶の位置、その船舶の船舶状況、次の寄港地を確認することができる。この場合、例えば、船舶状況情報が船舶の大きな船体運動を示していれば、健康データに異常があったとしても、陸上の管理担当者は、その異常が船舶の船体運動による一時的なものである可能性を推定することができる。また、その船舶の位置、その船舶の船舶状況、次の寄港地の表示方法は、例えばマップ（世界地図上に波高情報を色分けして表示したもの）上に船の位置及び次の寄港地をプロットして表示する方法であっても良い。
【００４０】
次に、船舶遠隔健康管理システムにおける動作について、図４を用いて説明する。図４は、本発明の実施形態における船舶遠隔健康管理システムのシーケンス図である。
【００４１】
ステップＳ１０１において、乗員Ａ、Ｂ、Ｃの各々は、データ収集ＰＣ１０７上でパスワードとユーザＩＤを入力し個人認証を行う。乗員Ａ、Ｂ、Ｃの各々は、個人認証後、所定の計測時刻に健康データ測定装置１０で歩数、体重、血圧の測定を行う。歩数計、体重体組成計、血圧計からデータ収集ＰＣのデータ転送は、歩数計、体重体組成計、血圧計の測定毎にＢｌｕｅｔｏｏｔｈ（登録商標）で行う。また、歩数、体重、血圧の測定後、乗員Ａ、Ｂ、Ｃの各々はデータ収集ＰＣ１０７上で問診項目にチェック又はメニュー選択方式で選択をすることで問診を行う。問診も上述した個人認証を行った上で行う。
【００４２】
ステップＳ１０２において、データ収集ＰＣは、測定装置から送信された歩数値と体重値と血圧値及び問診データをユーザＩＤ毎に時系列順に記録する。
ステップＳ１０３において、船陸間通信装置１１は、ネットワーク２と通信可能である場合（船舶が通信エリア内に位置する場合）、歩数値と体重値と血圧値及び問診データを、ネットワーク２を介して遠隔医療サーバ６に一定時間毎に送信する。また、船陸間通信装置１１は、船舶の運航情報と船舶状況情報とに船ＩＤを付加し、ネットワーク２を介して遠隔医療サーバ６に一定時間毎に送信する。
【００４３】
ステップＳ１０４において、遠隔医療サーバ６は、歩数値と体重値と血圧値及び問診データを、ネットワーク２を介して受信する。また、遠隔医療サーバ６は、船舶の運航情報と船舶状況情報を、ネットワーク２を介して受信する。
ステップＳ１０５において、遠隔医療サーバ６は、船舶システム１から取得した船の運航情報と船舶状況情報を航海情報に対応付けて船ＩＤ毎に船舶データ記憶部６２に記憶する。
ステップＳ１０６において、遠隔医療サーバ６は、歩数値と体重値と血圧値及び問診データをユーザＩＤ毎に健康データ記憶部６４に記憶する。
【００４４】
ステップＳ１０７において、遠隔医療サーバ６は、判定部６５で体重値と血圧値及び問診データの各々のデータに異常がある否かをユーザＩＤ毎に判定する。判定部６５は、体重値と血圧値及び問診データの各々に異常がない場合、Ｓ１０４に戻る。一方、判定部６５は、体重値と血圧値及び問診データのいずれかのデータ値に異常がある場合、異常と判定したデータ値に付加されたユーザＩＤを抽出し、抽出したユーザＩＤと異常があったデータを配信部６６に送信する。
【００４５】
ステップＳ１０８において、配信部６６は、判定部６５から取得したユーザＩＤに対応する船の運航情報と船舶状況情報と航海情報とを船舶データ記憶部６２から取得する。また、配信部６６は、判定部６５から取得したユーザＩＤと船舶データ記憶部６２から取得した船の運航情報と船舶状況情報と航海情報を付加したアラームメッセージを船舶管理会社ＰＣ５に送出する。この場合、配信部６６は、予め登録された船舶管理会社の陸上担当者の携帯電話やメールアドレス宛にアラームメッセージを送信してもよい。船舶管理会社の陸上担当者である例えば医師などの医療専門家は、船舶管理会社ＰＣ５により受信されたアラームメッセージから、船舶の乗員の健康データの異常を認識する。
【００４６】
船舶の乗員の健康データの異常を認識すると、ステップＳ１０９において、陸上担当者は、船舶管理会社ＰＣ５から遠隔医療サーバ６のインターフェイス６７を介して健康データ記憶部６４をアクセスし、該当する乗員の健康データの閲覧を要求する。
ステップＳ１１０において、船舶管理会社ＰＣ５は、要求された乗員の健康データを遠隔医療サーバ６から取得して表示部（図示なし）に表示する。陸上担当者は、船舶管理会社ＰＣ５の表示部に表示された乗員の健康データを詳細に検討して必要な措置をとる。
【００４７】
上述したように、本実施形態によれば、医師（又は医療従事者）などの陸上担当者は、アクセス権を得て陸上の遠隔医療サーバ６にアクセスすることで、乗員の健康データを確認することができる。このため、医師（又は医療従事者）などの医療従事者が乗船していなくても、陸上の担当者は乗員の病気の兆候や健康に悪い生活習慣を早期に発見することができる。また、陸上の担当者は、遠隔医療サーバ６から異常を示すアラームメッセージを受信することで、乗員の病気の兆候や健康に悪い生活習慣を早期に発見することができる。従って、本実施形態によれば、時間的余裕をもって乗員の病状に対処することや健康障害を来す前に生活習慣を改善することが可能になる。
【００４８】
また、本実施形態によれば、遠隔医療サーバ６は、船舶管理会社ＰＣ５に異常を示すアラームメッセージを送信する際、運航情報と船舶状況情報と航海情報とを付加して送信する。これにより、陸上の担当者は、健康状態に異常が発見された乗員が乗船している船舶の位置、寄港地、寄港月日などを即座に把握することができる。よって、陸上担当者は、予定された次の寄港地で異常があった乗員を下船させるなどの対応を行うことができ、緊急寄港の頻度を低減することができる。
【００４９】
また、本実施形態によれば、乗員の健康データがＩＤ毎に管理されているため、乗員の乗船する船が変更しても、その乗員のＩＤから健康データをトレースすることができる。また、乗員の健康データの他に、乗員が乗船している船舶も同様にＩＤ管理されている。これにより、乗員の乗船する船が変更になっても、乗員が現在どの船舶に乗船しているのか把握することができる。また、過去に乗船した船舶の船舶ＩＤの履歴を残すことにより、乗員の健康状態と船舶との相関関係、例えば乗員の健康状態と船内環境との関係などを把握することができる。また、船舶内での生活習慣について陸上からアドバイスすることも可能になる。
【００５０】
以上、本発明の実施形態を説明したが、本発明は、上述した実施形態および変形例に限定されるものではなく、本発明の主旨を逸脱しない範囲で、種々の変形、修正、置換、付加等が可能である。
例えば、上述の実施形態では、乗員の健康データに異常があった場合、アラームメッセージを船舶管理会社ＰＣ５に送信したが、船舶管理会社の陸上担当者の携帯電話、メール等に異常を知らせるアラームメッセージを送信しても良い。
【００５１】
また、例えば、上述の実施形態では、乗員の健康データに異常があった場合、アラームメッセージに運航情報を付加して船舶管理会社ＰＣ５に送信したが、アラームメッセージに運航情報を付加せずに遠隔医療サーバ６の所定のＵＲＬ（Ｕｎｉｆｏｒｍ  Ｒｅｓｏｕｒｃｅ  Ｌｏｃａｔｏｒ）をアラームメッセージに含めて送信する。これにより、多くの船舶を管理している陸上の担当者が、このＵＲＬをクリックすることで、健康データに異常があった乗員が乗船している船の位置、寄港地、寄港月日を即座に把握することができる。
【符号の説明】
【００５２】
１  船舶システム
２  ネットワーク
３  陸上システム
４  医療データ確認ＰＣ
５  船舶管理会社ＰＣ
６  遠隔医療サーバ
１０  健康データ測定装置
１１  船陸間通信装置
１２  ＬＡＮ
６１  船舶データ受信部
６２  船舶データ記憶部
６３  健康データ受信部
６４  健康データ記憶部
６５  判定部
６６  配信部
６７  インターフェイス
１０１〜１０３  歩数計
１０４  歩数計アダプタ
１０５  血圧計
１０６  体重体組成計
１０７  データ収集ＰＣ
１１０  無線通信装置
１１１  ルータ
【図１】
2015106308.tif 000003
【図２】
2015106308.tif 000004
【図３】
2015106308.tif 000005
【図４】
2015106308.tif 000006
【図５】
2015106308.tif 000007